(57)【要約】 【課題】  シール栓がシール栓収容部から飛び出るのを防止する。【解決手段】  コネクタは、後面にシール栓収容部１４が開口するハウジング１０と、シール栓収容部１４に装着されるシール栓３０と、ハウジング１０の後部に被せ付けられてシール栓３０を抜け止めするシール栓カバー４０とを備える。シール栓３０には、その外周面にリップ部３３が形成され、リップ部３３が、シール栓収容部１４の内周に密着するようになっている。シール栓収容部１４の内側面には、シール栓３０の抜け方向でリップ部３３と係止し合う抜け止め突部１６が設けられている。【選択図】  図１
2006269123.tif 000002
【特許請求の範囲】
【請求項１】
後面にシール栓収容部を開口したハウジングと、前記シール栓収容部に装着されるシール栓とを備え、前記シール栓は、その外周面にリップ部が形成され、前記リップ部が、前記シール栓収容部の内側面に密着されてシールがとられるコネクタにおいて、
前記シール栓収容部の内側面には、前記シール栓の抜け方向で前記リップ部と係止し合う抜け止め突部が設けられていることを特徴とするコネクタ。
【請求項２】
前記リップ部は、少なくとも二条設けられ、前記シール栓が前記シール栓収容部に正規に装着されたときに、最も前側に位置するリップ部とその後方に隣接するリップ部との間に形成された凹所内に、前記抜け止め突部が嵌め入れられることを特徴とする請求項１に記載のコネクタ。
【請求項３】
前記ハウジングの後部には、前記シール栓収容部に前記シール栓が装着された後、このシール栓を抜け止めするためのシール栓カバーが被せ付けられることを特徴とする請求項１または請求項２に記載のコネクタ。
【発明の詳細な説明】
【技術分野】
【０００１】
本発明は、コネクタに関する。
【背景技術】
【０００２】
一般的に自動車のエンジンルームのような防水性の要求される箇所では防水用のコネクタが使用される。このコネクタは、端子収容室を有するハウジングと、ハウジングの後面に開口するシール栓収容部に装着可能なシール栓と、装着されたシール栓を抜け止めするべくハウジングの後部に被せ付けられるカバーとを備えている。シール栓の外周面には周方向に沿ってリップ部が形成され、このリップ部がシール栓収容部の内側面に密着することでシールがとられるようになっている。この種のコネクタは、以下の特許文献１に記載されている。
【特許文献１】特開平７−２６３０７６号公報
【発明の開示】
【発明が解決しようとする課題】
【０００３】
ところで、上記したシール栓をシール栓収容部に押し込むと、リップ部がシール栓収容部の内側面によって押し潰される。すると、この押し潰しに伴い蓄勢された弾発力によってシール栓が抜け方向に反り返って、カバーを組み付ける前に、シール栓がシール栓収容部から飛び出ることがあった。
本発明は上記のような事情に基づいて完成されたものであって、シール栓収容部からシール栓が飛び出るのを防止することを目的とする。
【課題を解決するための手段】
【０００４】
上記の目的を達成するための手段として、請求項１の発明は、後面にシール栓収容部を開口したハウジングと、前記シール栓収容部に装着されるシール栓とを備え、前記シール栓は、その外周面にリップ部が形成され、前記リップ部が、前記シール栓収容部の内側面に密着されてシールがとられるコネクタにおいて、前記シール栓収容部の内側面には、前記シール栓の抜け方向で前記リップ部と係止し合う抜け止め突部が設けられている構成としたところに特徴を有する。
【０００５】
請求項２の発明は、請求項１に記載のものにおいて、前記リップ部は、少なくとも二条設けられ、前記シール栓が前記シール栓収容部に正規に装着されたときに、最も前側に位置するリップ部とその後方に隣接するリップ部との間に形成された凹所内に、前記抜け止め突部が嵌め入れられるところに特徴を有する。
【０００６】
請求項３の発明は、請求項１または請求項２に記載のものにおいて、前記ハウジングの後部には、前記シール栓収容部に前記シール栓が装着された後、このシール栓を抜け止めするためのシール栓カバーが被せ付けられる構成としたところに特徴を有する。
【発明の効果】
【０００７】
＜請求項１の発明＞
シール栓収容部にシール栓を押し込むと、リップ部がシール栓収容部の内側面に密着されてシールがとられるが、このとき、シール栓の抜き方向でリップ部と抜け止め突部とが係止し合うから、シール栓がシール栓収容部から飛び出るのを防止できる。
【０００８】
＜請求項２の発明＞
抜け止め突部が最も前側に位置するリップ部を乗り越えることでシール栓が正規装着位置に至り、そこで抜け止め突部がリップ部間に形成された凹所内に嵌め入れられ、シール栓が抜け止めされる。つまり、シール栓がリップ部を一つ乗り越えるだけでシール栓の装着作業を終えるから、作業負担の軽減を図ることができる。
【０００９】
＜請求項３の発明＞
シール栓収容部にシール栓を装着した後、ハウジングに対して後方からシール栓カバーを被せ付けてシール栓を抜け止めするようにしたから、シール栓が飛び出るのを確実に防止できる。また、シール栓カバーを装着する前に、シール栓をシール栓収容部に抜け止め状態で保持するから、シール栓カバーの組み付け作業性が良好となる。
【発明を実施するための最良の形態】
【００１０】
本発明の一実施形態を図１ないし図４によって説明する。
本実施形態のコネクタは、図１に示すように、図示しない相手側コネクタと嵌合可能とされ、合成樹脂製のハウジング１０を備えて構成される。なお、以下、図１における右側を後方とする。
【００１１】
ハウジング１０は、全体としてブロック状をなすハウジング本体１１を備え、図３に示すように、その内部に、高さ方向に複数段（詳しくは三段）で幅方向に複数列（詳しくは六列）のキャビティ１２を整列状に配している。このキャビティ１２には後方から端子金具２０が挿入される。図示する端子金具２０は、周知の雌端子金具であって、両コネクタが正規嵌合されたときに、相手側となる雄端子金具に電気的に接続されるようになっている。また、キャビティ１２の内側面には、上下方向に撓み変形可能なランス１３が形成されている。端子金具２０がキャビティ１２内に進入し、ランス１３を撓ませながら正規挿入位置に達すると、ランス１３が弾性復帰して端子金具２０を抜け止め状態で係止するようになっている。
【００１２】
ハウジング本体１１の後端からは後方へ向けて開放された略角筒状のシール栓収容部１４が形成されている。シール栓収容部１４は、ハウジング本体１１の前後長さの概ね五分の一程度の延出長さで構成され、その上面がハウジング本体１１の上面との間に段差を介してハウジング本体１１の上面よりも一段高い位置に設定されている。そして、シール栓収容部１４には、後方からシール栓３０が嵌め入れられるようになっている。シール栓３０は、シール栓収容部１４に正規深さで装着されることにより、シール栓収容部１４の奥面つまりハウジング本体１１の後面に当て止めされる。
【００１３】
また、シール栓収容部１４の上面及び下面には、その幅方向略中央部に、上下一対のカバーロック部１５が突設されている。ハウジング１０には、シール栓収容部１４にシール栓３０が装着された後、後方からシール栓３０を抜け止めするためのシール栓カバー４０が組み付けられるが、前記カバーロック部１５がこのシール栓カバー４０のロック受け部４１（後述する）に弾性係止することで、シール栓カバー４０がハウジング１０に固定されるようになっている。カバーロック部１５の後面は、後方へ向かって下り勾配となるテーパ状の案内面とされる。
【００１４】
シール栓カバー４０は、合成樹脂材によってキャップ状に形成され、シール栓３０の端子挿入口３１（後述する）と対応する位置に、電線２１を遊嵌可能な電線通し孔４３を有して構成される。シール栓カバー４０の上端部及び下端部には、その幅方向略中央部に、上下一対の弾性ロック部４２が前方へ向けて突出して形成されている。また、両弾性ロック部４２の内側には、ロック受け部４１が上下方向及び後方に開口して形成されている。シール栓カバー４０をハウジング１０に装着する過程では、弾性ロック部４２がカバーロック部１５の案内面に乗り上げられて撓み変形されるが、シール栓カバー４０が正規装着されると、弾性ロック部４２がカバーロック部１５を乗り越えて復元するとともにロック受け部４１にカバーロック部１５が嵌入して、シール栓カバー４０が位置決め状態で固定されるようになっている。
【００１５】
シール栓３０は、例えばシリコン製のゴム栓であって、シール栓収容部１４に適合可能な形状と大きさをもって形成されている。詳しくは、シール栓３０は、いわゆる一括ゴム栓であって、各キャビティ１２と対応する位置に、略円形をなす複数の端子挿入口３１を有し、各端子挿入口３１毎に挿通される電線２１を一括して保持するようになっている。端子挿入口３１の内側面には内側リップ部３２が周方向に沿って形成され、ここに電線２１が挿入されたときに、内側リップ部３２が電線２１の外周面に嵌着して、その間のシールがとられるようになっている。
【００１６】
シール栓３０の外周面には、前後方向に間隔をあけて二条のリップ部３３が形成されている。両リップ部３３は、それぞれ周方向に一周する環状をなし、互いに同形同大で略平行に配置されている。そして、両リップ部３３は、シール栓３０がシール栓収容部１４に装着されたときに、シール栓収容部１４の内側面に押し当てられ、ハウジング１０との間のシールがとられるようになっている。このとき、両リップ部３３の突出端は、シール栓収容部１４の内側面によって少し押し潰された状態となる。なお、両リップ部３３間に形成された谷間は、本発明の凹所３４として構成される。
【００１７】
さて、シール栓収容部１４の内側面には、シール栓３０の抜け方向でリップ部３３と係止し合う位置に、抜け止め突部１６が設けられている。抜け止め突部１６は、シール栓収容部１４の上面及び下面における前後方向略中央部に設定されており、正規深さで装着されたシール栓３０の凹所３４内に嵌め入れられるようになっている。詳しくは、抜け止め突部１６は、シール栓収容部１４の上面及び下面における幅方向両端寄りに、一対ずつ計四つ設けられており、それぞれ略直方体形状をなして高さ方向及び幅方向に関して対称する位置に配されている。シール栓３０は、各抜け止め突部１６によってシール栓収容部１４から抜け出るのが防止されるようになっている。
【００１８】
次に、本実施形態のコネクタの組み付け手順を説明する。まず、シール栓３０の端子挿入口３１に端子金具２０を通し、さらに挿通させた端子金具２０をキャビティ１２内に挿入する。このとき、あらかじめシール栓カバー４０の電線通し孔４３に電線２１を通しておき、シール栓カバー４０をシール栓３０よりも後方位置に待機させておく。それから、図１に示すように、シール栓収容部１４にシール栓３０を押し込む。すると、両リップ部３３のうち前側に位置するリップ部３３Ａがシール栓収容部１４の内側面を摺動したあと抜け止め突部１６に突き当たる。さらにシール栓３０を押し込むと、前側に位置するリップ部３３Ａが弾縮されつつ抜け止め突部１６に乗り上げられる。シール栓３０が正規深さで装着されると、抜け止め突部１６が両リップ部３３間に形成された凹所３４内に嵌め入れられる。このとき、前側に位置するリップ部３３Ａと抜け止め突部１６とがシール栓３０の抜け方向で係止し合うから、仮にシール栓３０が抜け方向に反り変形を生じても、シール栓３０がシール栓収容部１４から飛び出すことはない。その後、後方からシール栓カバー４０をハウジング１０の後部に被せ付け、シール栓３０を確実に抜け止めする。
【００１９】
以上のように、本実施形態によれば、シール栓収容部１４の内側面に、シール栓３０の抜け方向で前側に位置するリップ部３３と係止し合う抜け止め突部１６を設けたから、シール栓カバー４０が装着される前にシール栓３０が不用意に飛び出ることがなく、組み付け作業性の改善を図ることができる。
【００２０】
また、シール栓３０が正規装着されたときに、抜け止め突部１６が、二条のリップ部３３間に形成された凹所３４内に嵌め入れられるから、シール栓３０の装着過程では抜け止め突部１６が唯一つのリップ部３３Ａを乗り越えるだけで済み、抜け止め突部１６が二条のリップ部３３をそれぞれ乗り越えたりする場合に比べ、作業負担の軽減を図ることができる。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態においては、シール栓は一括ゴム栓として構成されていたが、本発明は、各端子金具を個別に通すシール栓に適用してもよい。あるいは、シール栓は、空キャビティを閉止するダミー栓であってもよい。
（２）上記実施形態では、抜け止め突部はシール栓収容部の上下二箇所に設けられていたが、本発明において、抜け止め突部はシール栓収容部の内側面の全周に亘って密着するものであってもよい。
（３）上記実施形態においては、シール栓に二条のリップ部を設けていたが、本発明においては、シール栓に三条以上のリップ部を設けてもよい。
【図面の簡単な説明】
【００２２】
【図１】本実施形態の分解断面図
【図２】その断面図
【図３】ハウジングの正面図
【図４】シール栓の正面図
【符号の説明】
【００２３】
１０…ハウジング
１１…ハウジング本体
１４…シール栓収容部
１５…カバーロック部
１６…抜け止め突部
２０…端子金具
２１…電線
３０…シール栓
３３…両リップ部
３３Ａ…前側に位置するリップ部
３４…凹所
４０…シール栓カバー
４２…弾性ロック部
４３…電線通し孔
【図１】
2006269123.tif 000003
【図２】
2006269123.tif 000004
【図３】
2006269123.tif 000005
【図４】
2006269123.tif 000006